(57)【要約】【課題】親権者が未成年の子供に対する許可，禁止コンテンツの事前登録等を行わなくても、携帯端末側で年齢照合を行いコンテンツ毎に許可，禁止を自動的に判断できるようにする。【解決手段】携帯端末１０の購入時にＳＩＭカード２０の生年月日情報を読み取って生年月日情報データベース１４１に予め記憶しておき、情報提供サーバ３０にアクセスしてコンテンツの閲覧を要求し、情報提供サーバ３０から年齢条件情報を含んだコンテンツを受信したときに、ＳＩＭカード２０の生年月日と生年月日情報データベース１４１に記憶された生年月日とが一致しているかを照合し、一致していた場合に生年月日から現在の年齢を算出し、算出した年齢が前記年齢条件を満たしていない場合にコンテンツの表示を禁止する。【選択図】      図１
2006209433.tif 000002
【特許請求の範囲】
【請求項１】
加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取りメモリに予め記憶する手段と、前記情報提供サーバにアクセスしてコンテンツを選択し閲覧要求する手段と、前記情報提供サーバから年齢条件情報を含んだコンテンツを受信したときに、前記加入者識別用ＩＣカードの生年月日または前記メモリに記憶された生年月日のいずれか一方の生年月日から現在の年齢を算出する手段と、算出した年齢が前記年齢条件を満たしていない場合に前記コンテンツの表示を禁止する手段とを有し、
前記情報提供サーバは、前記閲覧要求されたコンテンツの年齢条件の有無を検索，取得する手段と、コンテンツに年齢条件情報を含めて前記携帯端末に送信する手段とを有することを特徴とする情報取得制御システム。
【請求項２】
加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取りメモリに予め記憶する手段と、前記情報提供サーバにアクセスしてコンテンツを選択し閲覧要求する手段と、前記情報提供サーバから年齢条件情報を含んだコンテンツを受信したときに、前記加入者識別用ＩＣカードの生年月日と前記メモリに記憶された生年月日とが一致しているかを照合する手段と、一致していた場合に生年月日から現在の年齢を算出する手段と、前記生年月日が不一致、または、算出した年齢が前記年齢条件を満たしていない場合に前記コンテンツの表示を禁止する手段とを有し、
前記情報提供サーバは、前記閲覧要求されたコンテンツの年齢条件の有無を検索，取得する手段と、コンテンツに年齢条件情報を含めて前記携帯端末に送信する手段とを有することを特徴とする情報取得制御システム。
【請求項３】
前記携帯端末は、前記加入者識別用ＩＣカードの生年月日情報を前記メモリに予め記憶するときに、ユーザから入力された認証情報と対応付けて記憶し、前記メモリに記憶された生年月日の変更は前記認証情報により認証された場合にのみ可能とすることを特徴とする請求項１または２記載の情報取得制御システム。
【請求項４】
加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取り第１のメモリに予め記憶する手段と、前記情報提供サーバにアクセスしてコンテンツを選択しダウンロード要求する手段と、前記情報提供サーバから年齢条件情報を含んだコンテンツを受信したときに、前記加入者識別用ＩＣカードの生年月日または前記第１のメモリに記憶された生年月日のいずれか一方の生年月日から現在の年齢を算出する手段と、算出した年齢が前記年齢条件を満たしていた場合に前記コンテンツを年齢条件と対応付けて第２のメモリに保存する手段とを有し、
前記情報提供サーバは、前記ダウンロード要求されたコンテンツの年齢条件の有無を検索，取得する手段と、コンテンツに年齢条件情報を含めて前記携帯端末に送信する手段とを有することを特徴とする情報取得制御システム。
【請求項５】
加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取り第１のメモリに予め記憶する手段と、前記情報提供サーバにアクセスしてコンテンツを選択しダウンロード要求する手段と、前記情報提供サーバから年齢条件情報を含んだコンテンツを受信したときに、前記加入者識別用ＩＣカードの生年月日と前記第１のメモリに記憶された生年月日とが一致しているかを照合する手段と、一致していた場合に生年月日から現在の年齢を算出する手段と、算出した年齢が前記年齢条件を満たしていた場合に前記コンテンツを年齢条件と対応付けて第２のメモリに保存する手段とを有し、
前記情報提供サーバは、前記ダウンロード要求されたコンテンツの年齢条件の有無を検索，取得する手段と、コンテンツに年齢条件情報を含めて前記携帯端末に送信する手段とを有することを特徴とする情報取得制御システム。
【請求項６】
前記携帯端末は、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する手段を、さらに有することを特徴とする請求項４または５記載の情報取得制御システム。
【請求項７】
前記携帯端末は、前記加入者識別用ＩＣカードの生年月日情報を前記第１のメモリに予め記憶するときに、ユーザから入力された認証情報と対応付けて記憶し、前記第１のメモリに記憶された生年月日の変更は前記認証情報により認証された場合にのみ可能とすることを特徴とする請求項４，５または６記載の情報取得制御システム。
【請求項８】
外部装置に接続される携帯端末であって、使用に先立って加入者識別用ＩＣカードの生年月日情報を読み取りメモリに予め記憶する手段と、前記情報提供サーバにアクセスしてコンテンツを選択し閲覧要求する手段と、前記外部装置から年齢条件情報を含んだコンテンツを受信したときに、前記加入者識別用ＩＣカードの生年月日または前記メモリに記憶された生年月日のいずれか一方の生年月日から現在の年齢を算出する手段と、算出した年齢が前記年齢条件を満たしていない場合に前記コンテンツの表示を禁止する手段とを有することを特徴とする携帯端末。
【請求項９】
外部装置に接続される携帯端末であって、使用に先立って加入者識別用ＩＣカードの生年月日情報を読み取りメモリに予め記憶する手段と、前記情報提供サーバにアクセスしてコンテンツを選択し閲覧要求する手段と、前記外部装置から年齢条件情報を含んだコンテンツを受信したときに、前記加入者識別用ＩＣカードの生年月日と前記メモリに記憶された生年月日とが一致しているかを照合する手段と、一致していた場合に生年月日から現在の年齢を算出する手段と、算出した年齢が前記年齢条件を満たしていない場合に前記コンテンツの表示を禁止する手段とを有することを特徴とする携帯端末。
【請求項１０】
外部装置に接続される携帯端末であって、使用に先立って加入者識別用ＩＣカードの生年月日情報を読み取り第１のメモリに予め記憶する手段と、前記外部装置にアクセスしてコンテンツを選択しダウンロード要求する手段と、前記外部装置から年齢条件情報を含んだコンテンツを受信したときに、前記加入者識別用ＩＣカードの生年月日または前記第１のメモリに記憶された生年月日のいずれか一方の生年月日から現在の年齢を算出する手段と、算出した年齢が前記年齢条件を満たしていた場合に前記コンテンツを年齢条件と対応付けて第２のメモリに保存する手段と、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する手段とを有することを特徴とする携帯端末。
【請求項１１】
外部装置に接続される携帯端末であって、使用に先立って加入者識別用ＩＣカードの生年月日情報を読み取り第１のメモリに予め記憶する手段と、前記情報提供サーバにアクセスしてコンテンツを選択しダウンロード要求する手段と、前記外部装置から年齢条件情報を含んだコンテンツを受信したときに、前記加入者識別用ＩＣカードの生年月日と前記第１のメモリに記憶された生年月日とが一致しているかを照合する手段と、一致していた場合に生年月日から現在の年齢を算出する手段と、算出した年齢が前記年齢条件を満たしていた場合に前記コンテンツを年齢条件と対応付けて第２のメモリに保存する手段と、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する手段とを有することを特徴とする携帯端末。
【請求項１２】
ＩＣカードを装着した携帯端末からサーバにコンテンツの閲覧要求を行ったときに、年齢条件情報を付したコンテンツを前記サーバから前記携帯端末に送信し、前記携帯端末において前記ＩＣカードに書き込まれた生年月日または予め登録された生年月日のいずれか一方の生年月日から算出した現在の年齢が前記年齢条件を満たしていない場合に受信したコンテンツの表示を禁止することを特徴とする情報取得制御方法。
【請求項１３】
ＩＣカードを装着した携帯端末からサーバにコンテンツの閲覧要求を行ったときに、年齢条件情報を付したコンテンツを前記サーバから前記携帯端末に送信し、前記携帯端末において前記ＩＣカードに書き込まれた生年月日と予め登録された生年月日とが不一致、または、前記生年月日から算出した現在の年齢が前記年齢条件を満たしていない場合に受信したコンテンツの表示を禁止することを特徴とする情報取得制御方法。
【請求項１４】
装着された加入者識別用ＩＣカードの生年月日情報を読み取りメモリに予め記憶する機能、外部装置にアクセスしてコンテンツを選択し閲覧要求する機能、前記外部装置から年齢条件情報を含んだコンテンツを受信したときに、前記加入者識別用ＩＣカードの生年月日または前記メモリに記憶された生年月日のいずれか一方の生年月日から現在の年齢を算出する機能、算出した年齢が前記年齢条件を満たしていない場合に前記コンテンツの表示を禁止する機能、をコンピュータに実現させるためのプログラム。
【請求項１５】
装着された加入者識別用ＩＣカードの生年月日情報を読み取りメモリに予め記憶する機能、外部装置にアクセスしてコンテンツを選択し閲覧要求する機能、前記外部装置から年齢条件情報を含んだコンテンツを受信したときに、前記加入者識別用ＩＣカードの生年月日と前記メモリに記憶された生年月日とが一致しているかを照合する機能、一致していた場合に生年月日から現在の年齢を算出する機能、前記生年月日が不一致、または、算出した年齢が前記年齢条件を満たしていない場合に前記コンテンツの表示を禁止する機能、をコンピュータに実現させるためのプログラム。
【請求項１６】
装着された加入者識別用ＩＣカードの生年月日情報を読み取り第１のメモリに予め記憶する機能、外部装置にアクセスしてコンテンツを選択しダウンロード要求する機能、前記外部装置から年齢条件情報を含んだコンテンツを受信したときに、前記加入者識別用ＩＣカードの生年月日または前記第１のメモリに記憶された生年月日のいずれか一方の生年月日から現在の年齢を算出する機能、算出した年齢が前記年齢条件を満たしていた場合に前記コンテンツを年齢条件と対応付けて第２のメモリに保存する機能、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する機能、をコンピュータに実現させるためのプログラム。
【請求項１７】
装着された加入者識別用ＩＣカードの生年月日情報を読み取り第１のメモリに予め記憶する機能、外部装置にアクセスしてコンテンツを選択しダウンロード要求する機能、前記外部装置から年齢条件情報を含んだコンテンツを受信したときに、前記加入者識別用ＩＣカードの生年月日と前記第１のメモリに記憶された生年月日とが一致しているかを照合する機能、一致していた場合に生年月日から現在の年齢を算出する機能、算出した年齢が前記年齢条件を満たしていた場合に前記コンテンツを年齢条件と対応付けて第２のメモリに保存する機能、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する機能、をコンピュータに実現させるためのプログラム。
【発明の詳細な説明】
【技術分野】
【０００１】
本発明は、情報取得制御システム，携帯端末，情報取得制御方法およびプログラムに関し、特に年令制限のある情報を取得する場合の情報取得制御システム，携帯端末，情報取得制御方法およびプログラムに関する。
【背景技術】
【０００２】
近年の携帯端末の普及に伴って未成年者層にも携帯端末からのインターネット接続が一般化し、暴力的情報を含むサイトやアダルト情報を含むサイト等へアクセスすることも容易になっている。このような現状において、未成年者をインターネット上の有害情報から守ることが課題になっている。
【０００３】
そして、この課題を解決した例としては、例えば、特開２００３−１８６８４２号公報（特許文献１）に記載された通信端末，通信システムおよび通信制御方法がある。この特許文献１においては、携帯電話機使用者（未成年者）の親権者は、アクセスを許可するＵＲＬ(Uniform Resource Locator)を携帯電話機内部のブックマークテーブルに予め登録しておく。そして、携帯電話機使用者（未成年者）からのインターネットアクセス時にアクセス先のＵＲＬを特定し、特定したＵＲＬがブックマークテーブルに登録されているいずれかのＵＲＬと一致する場合にのみアクセスを許可するようにしている。
【０００４】
【特許文献１】特開２００３−１８６８４２号公報（段落「００５０」、「００８０」、図１、図１０）
【発明の開示】
【発明が解決しようとする課題】
【０００５】
上述した特許文献１においては、未成年者のアクセスを許可しないＵＲＬについてはブックマークテーブルに登録せず、許可するＵＲＬのみを登録することにより、未成年者からの有害情報取得を防止している。しかし、この方法においては、親権者が許可するＵＲＬを予め選択，登録しなければならないため親権者の手間がかかるとともに、未成年者にとっても新たなＵＲＬにアクセスしたい場合にその都度親権者に登録を依頼しなければならないという問題がある。
【０００６】
本発明は、以上の問題を解決する情報取得制御システム，携帯端末，情報取得制御方法およびプログラムを提供することを目的とする。
【課題を解決するための手段】
【０００７】
本発明の第１の情報取得制御システムは、加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取りメモリに予め記憶する手段と、前記情報提供サーバにアクセスしてコンテンツを選択し閲覧要求する手段と、前記情報提供サーバから年齢条件情報を含んだコンテンツを受信したときに、前記加入者識別用ＩＣカードの生年月日または前記メモリに記憶された生年月日のいずれか一方の生年月日から現在の年齢を算出する手段と、算出した年齢が前記年齢条件を満たしていない場合に前記コンテンツの表示を禁止する手段とを有し、
前記情報提供サーバは、前記閲覧要求されたコンテンツの年齢条件の有無を検索，取得する手段と、コンテンツに年齢条件情報を含めて前記携帯端末に送信する手段とを有する
。
【０００８】
本発明の第２の情報取得制御システムは、加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取りメモリに予め記憶する手段と、前記情報提供サーバにアクセスしてコンテンツを選択し閲覧要求する手段と、前記情報提供サーバから年齢条件情報を含んだコンテンツを受信したときに、前記加入者識別用ＩＣカードの生年月日と前記メモリに記憶された生年月日とが一致しているかを照合する手段と、一致していた場合に生年月日から現在の年齢を算出する手段と、前記生年月日が不一致、または、算出した年齢が前記年齢条件を満たしていない場合に前記コンテンツの表示を禁止する手段とを有し、
前記情報提供サーバは、前記閲覧要求されたコンテンツの年齢条件の有無を検索，取得する手段と、コンテンツに年齢条件情報を含めて前記携帯端末に送信する手段とを有する
。
【０００９】
本発明の第３の情報取得制御システムは、本発明の第１または第２の情報取得制御システムにおいて、前記携帯端末は、前記加入者識別用ＩＣカードの生年月日情報を前記メモリに予め記憶するときに、ユーザから入力された認証情報と対応付けて記憶し、前記メモリに記憶された生年月日の変更は前記認証情報により認証された場合にのみ可能とすることを特徴とする。
【００１０】
本発明の第４の情報取得制御システムは、加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取り第１のメモリに予め記憶する手段と、前記情報提供サーバにアクセスしてコンテンツを選択しダウンロード要求する手段と、前記情報提供サーバから年齢条件情報を含んだコンテンツを受信したときに、前記加入者識別用ＩＣカードの生年月日または前記第１のメモリに記憶された生年月日のいずれか一方の生年月日から現在の年齢を算出する手段と、算出した年齢が前記年齢条件を満たしていた場合に前記コンテンツを年齢条件と対応付けて第２のメモリに保存する手段とを有し、
前記情報提供サーバは、前記ダウンロード要求されたコンテンツの年齢条件の有無を検索，取得する手段と、コンテンツに年齢条件情報を含めて前記携帯端末に送信する手段とを有する。
【００１１】
本発明の第５の情報取得制御システムは、加入者識別用ＩＣカードと、前記加入者識別用ＩＣカードの装着により通信を可能とする携帯端末と、情報提供サーバと、前記携帯端末と前記情報提供サーバとを接続するインターネットとを備えた情報取得制御システムであって、
前記加入者識別用ＩＣカードは、予め書き込まれた電話番号，ユーザＩＤ，生年月日を含む加入者識別情報を有し、
前記携帯端末は、使用に先立って前記加入者識別用ＩＣカードの生年月日情報を読み取り第１のメモリに予め記憶する手段と、前記情報提供サーバにアクセスしてコンテンツを選択しダウンロード要求する手段と、前記情報提供サーバから年齢条件情報を含んだコンテンツを受信したときに、前記加入者識別用ＩＣカードの生年月日と前記第１のメモリに記憶された生年月日とが一致しているかを照合する手段と、一致していた場合に生年月日から現在の年齢を算出する手段と、算出した年齢が前記年齢条件を満たしていた場合に前記コンテンツを年齢条件と対応付けて第２のメモリに保存する手段とを有し、
前記情報提供サーバは、前記ダウンロード要求されたコンテンツの年齢条件の有無を検索，取得する手段と、コンテンツに年齢条件情報を含めて前記携帯端末に送信する手段とを有する。
【００１２】
本発明の第６の情報取得制御システムは、本発明の第４または第５の情報取得制御システムにおいて、前記携帯端末は、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する手段を、さらに有する。
【００１３】
本発明の第７の情報取得制御システムは、本発明の第４，第５または第６の情報取得制御システムにおいて、前記携帯端末は、前記加入者識別用ＩＣカードの生年月日情報を前記第１のメモリに予め記憶するときに、ユーザから入力された認証情報と対応付けて記憶し、前記第１のメモリに記憶された生年月日の変更は前記認証情報により認証された場合にのみ可能とすることを特徴とする。
【００１４】
本発明の第１の携帯端末は、外部装置に接続される携帯端末であって、使用に先立って加入者識別用ＩＣカードの生年月日情報を読み取りメモリに予め記憶する手段と、前記情報提供サーバにアクセスしてコンテンツを選択し閲覧要求する手段と、前記外部装置から年齢条件情報を含んだコンテンツを受信したときに、前記加入者識別用ＩＣカードの生年月日または前記メモリに記憶された生年月日のいずれか一方の生年月日から現在の年齢を算出する手段と、算出した年齢が前記年齢条件を満たしていない場合に前記コンテンツの表示を禁止する手段とを有する。
【００１５】
本発明の第２の携帯端末は、外部装置に接続される携帯端末であって、使用に先立って加入者識別用ＩＣカードの生年月日情報を読み取りメモリに予め記憶する手段と、前記情報提供サーバにアクセスしてコンテンツを選択し閲覧要求する手段と、前記外部装置から年齢条件情報を含んだコンテンツを受信したときに、前記加入者識別用ＩＣカードの生年月日と前記メモリに記憶された生年月日とが一致しているかを照合する手段と、一致していた場合に生年月日から現在の年齢を算出する手段と、算出した年齢が前記年齢条件を満たしていない場合に前記コンテンツの表示を禁止する手段とを有する。
【００１６】
本発明の第３の携帯端末は、外部装置に接続される携帯端末であって、使用に先立って加入者識別用ＩＣカードの生年月日情報を読み取り第１のメモリに予め記憶する手段と、前記外部装置にアクセスしてコンテンツを選択しダウンロード要求する手段と、前記外部装置から年齢条件情報を含んだコンテンツを受信したときに、前記加入者識別用ＩＣカードの生年月日または前記第１のメモリに記憶された生年月日のいずれか一方の生年月日から現在の年齢を算出する手段と、算出した年齢が前記年齢条件を満たしていた場合に前記コンテンツを年齢条件と対応付けて第２のメモリに保存する手段と、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する手段とを有する。
【００１７】
本発明の第４の携帯端末は、外部装置に接続される携帯端末であって、使用に先立って加入者識別用ＩＣカードの生年月日情報を読み取り第１のメモリに予め記憶する手段と、前記情報提供サーバにアクセスしてコンテンツを選択しダウンロード要求する手段と、前記外部装置から年齢条件情報を含んだコンテンツを受信したときに、前記加入者識別用ＩＣカードの生年月日と前記第１のメモリに記憶された生年月日とが一致しているかを照合する手段と、一致していた場合に生年月日から現在の年齢を算出する手段と、算出した年齢が前記年齢条件を満たしていた場合に前記コンテンツを年齢条件と対応付けて第２のメモリに保存する手段と、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する手段とを有する。
【００１８】
本発明の第１の情報取得制御方法は、ＩＣカードを装着した携帯端末からサーバにコンテンツの閲覧要求を行ったときに、年齢条件情報を付したコンテンツを前記サーバから前記携帯端末に送信し、前記携帯端末において前記ＩＣカードに書き込まれた生年月日または予め登録された生年月日のいずれか一方の生年月日から算出した現在の年齢が前記年齢条件を満たしていない場合に受信したコンテンツの表示を禁止することを特徴とする。
【００１９】
本発明の第２の情報取得制御方法は、ＩＣカードを装着した携帯端末からサーバにコンテンツの閲覧要求を行ったときに、年齢条件情報を付したコンテンツを前記サーバから前記携帯端末に送信し、前記携帯端末において前記ＩＣカードに書き込まれた生年月日と予め登録された生年月日とが不一致、または、前記生年月日から算出した現在の年齢が前記年齢条件を満たしていない場合に受信したコンテンツの表示を禁止することを特徴とする。
【００２０】
本発明の第１のプログラムは、装着された加入者識別用ＩＣカードの生年月日情報を読み取りメモリに予め記憶する機能、外部装置にアクセスしてコンテンツを選択し閲覧要求する機能、前記外部装置から年齢条件情報を含んだコンテンツを受信したときに、前記加入者識別用ＩＣカードの生年月日または前記メモリに記憶された生年月日のいずれか一方の生年月日から現在の年齢を算出する機能、算出した年齢が前記年齢条件を満たしていない場合に前記コンテンツの表示を禁止する機能、をコンピュータに実現させる。
【００２１】
本発明の第２のプログラムは、装着された加入者識別用ＩＣカードの生年月日情報を読み取りメモリに予め記憶する機能、外部装置にアクセスしてコンテンツを選択し閲覧要求する機能、前記外部装置から年齢条件情報を含んだコンテンツを受信したときに、前記加入者識別用ＩＣカードの生年月日と前記メモリに記憶された生年月日とが一致しているかを照合する機能、一致していた場合に生年月日から現在の年齢を算出する機能、前記生年月日が不一致、または、算出した年齢が前記年齢条件を満たしていない場合に前記コンテンツの表示を禁止する機能、をコンピュータに実現させる。
【００２２】
本発明の第３のプログラムは、装着された加入者識別用ＩＣカードの生年月日情報を読み取り第１のメモリに予め記憶する機能、外部装置にアクセスしてコンテンツを選択しダウンロード要求する機能、前記外部装置から年齢条件情報を含んだコンテンツを受信したときに、前記加入者識別用ＩＣカードの生年月日または前記第１のメモリに記憶された生年月日のいずれか一方の生年月日から現在の年齢を算出する機能、算出した年齢が前記年齢条件を満たしていた場合に前記コンテンツを年齢条件と対応付けて第２のメモリに保存する機能、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する機能、をコンピュータに実現させる。
【００２３】
本発明の第４のプログラムは、装着された加入者識別用ＩＣカードの生年月日情報を読み取り第１のメモリに予め記憶する機能、外部装置にアクセスしてコンテンツを選択しダウンロード要求する機能、前記外部装置から年齢条件情報を含んだコンテンツを受信したときに、前記加入者識別用ＩＣカードの生年月日と前記第１のメモリに記憶された生年月日とが一致しているかを照合する機能、一致していた場合に生年月日から現在の年齢を算出する機能、算出した年齢が前記年齢条件を満たしていた場合に前記コンテンツを年齢条件と対応付けて第２のメモリに保存する機能、前記第２のメモリに保存されたコンテンツの閲覧をユーザから要求された場合に、前記加入者識別用ＩＣカードの生年月日と前記第１のメモリに記憶された生年月日とが一致しているかを照合し、一致していない場合に要求されたコンテンツの表示を禁止する機能、をコンピュータに実現させる。
【発明の効果】
【００２４】
本発明は、携帯端末が情報提供サーバからコンテンツとともに年齢条件情報を受信し、携帯端末のユーザが年齢条件を満たしている場合にだけコンテンツの表示またはダウンロードを許可するようにした。これにより、例えば親権者による許可，禁止コンテンツの事前登録等を行わなくても、携帯端末がコンテンツ毎に許可，禁止を自動的に判断することができるという効果が得られる。
【００２５】
また、携帯端末側でユーザの年齢と情報提供サーバから受信した年齢条件情報を比較してコンテンツの表示またはダウンロードの可否を決定していることにより、年齢という個人情報を外部に送信しなくてもよいため、個人情報の漏洩防止効果が得られる。
【発明を実施するための最良の形態】
【００２６】
本発明の実施の形態について図面を参照して詳細に説明する。
【００２７】
図１は、本発明の一実施の形態の構成を示す図であり、携帯端末１０と、ＳＩＭ(Subscriber Identity Module)カード２０と、情報提供サーバ３０と、携帯端末１０と情報提供サーバ３０とを接続するインターネット１００とを備えている。
【００２８】
携帯端末１０は、携帯電話機，ＰＨＳ(Personal Handyphone System)，ＰＤＡ(Personal Digital Assistance)等の携帯情報端末である。この携帯端末１０は、制御部１１と、無線通信部１２と、入力部１３と、記憶部１４と、表示部１５と、カードＩ／Ｆ(Interface)部１６とを備えている。
【００２９】
制御部１１は、ＣＰＵ(Central Processing Unit)等の制御装置であり、未成年閲覧制御用アプリケーションを含む各種プログラムにより動作を制御される。この制御部１１は、
・装着されたＳＩＭカード２０の生年月日情報を読み出し、読み出した生年月日情報を生年月日情報データベース１４１に登録する機能。
・ＳＩＭカード２０に書き込まれた生年月日と生年月日情報データベース１４１に登録された生年月日とを照合する機能。
・生年月日から現在の年齢を算出する機能。
・インターネット１００上に開設されたＷebサイトにアクセスする機能。
・情報提供サーバ３０から受信したコンテンツの年齢条件を携帯端末１０の使用者の年齢が満たしているかを検証し、満たしていない場合はコンテンツの表示を禁止する機能。
・情報提供サーバ３０からダウンロードしたコンテンツを年齢条件と対応付けてコンテンツデータベース１４２に格納する機能。
を備えている。
【００３０】
無線通信部１２は図示しない基地局との間で無線信号の送受信を行う通信装置であり、入力部１３はテンキー，機能キー，ポインティングデバイス等の入力手段である。記憶部１４は、読み出し，書き込み可能な記憶装置であり、生年月日情報データベース１４１と、コンテンツデータベース１４２と、エラー画面情報データベース１４３とを含んでいる。生年月日情報データベース１４１には、図２（生年月日情報データベース１４１に格納されるデータの一例を示す図）に示すように、生年月日と更新用パスワードが格納されている。この生年月日は携帯端末１０を使用する未成年者の生年月日であり、更新用パスワードは生年月日情報データベース１４１に登録された生年月日を更新する場合の認証用パスワードである。なお、コンテンツデータベース１４２には、図３（コンテンツデータベース１４２に格納されるデータの一例を示す図）に示すように、年齢条件とコンテンツ名とコンテンツデータとが対応付けられて格納される。これらの情報は、携帯端末１０が情報提供サーバ３０からコンテンツをダウンロードし、保存操作をしたときに格納される。なお、年齢条件とは２０才未満閲覧禁止や年齢条件無し等の情報である。エラー画面情報データベース１４３には、携帯端末１０とＳＩＭカード２０の生年月日が異なる旨を通知するエラー画面情報と、年齢条件によりコンテンツの閲覧が不可である旨を通知するエラー画面情報とが予め格納されている。表示部１５はＬＣＤ(Liquid Crystal Display)等の表示装置であり、カードＩ／Ｆ部１６は図示しないカードスロットにＳＩＭカード２０が装着された場合に、ＳＩＭカード２０と制御部１１とを電気的に接続するためのインタフェース部である。
【００３１】
ＳＩＭカード２０は、携帯端末１０から分離した加入者識別用ＩＣカードであり、電話番号，ユーザＩＤ，生年月日等の加入者識別情報や電話会社との契約情報等が書き込まれている。このＳＩＭカード２０を携帯端末１０に装着することによって、携帯端末１０は通信可能な状態となる。なお、ＳＩＭカード２０はＧＳＭ(Global System for Mobile communication)規格の端末用として使用される。この他、次世代移動通信システム「ＩＭＴ(International Mobile Telecommunication)−２０００」規格の端末用に採用が予定されているＵＳＩＭ(Universal Subscriber Identity Module)カードが加入者識別用カードとして知られている。本発明は、これらＳＩＭカードまたはＵＳＩＭカードのいずれのカードを用いても適用可能であるが、本実施の形態においては、加入者識別用ＩＣカードとしてＳＩＭカード２０を用いて説明する。
【００３２】
情報提供サーバ３０は、インターネット１００上に情報提供用のＷebサイトを開設しており、このＷebサイトへのアクセスを受けてコンテンツを送信する際に、コンテンツの年齢条件フラグを設定して送信する手段を備えている。この年齢条件フラグは、例えば、１８才未満閲覧禁止フラグや２０才未満閲覧禁止フラグであり、情報提供サーバ３０が提供するコンテンツデータの例えば先頭部分に含まれる。詳細には、情報提供サーバ３０はコンテンツ毎の年齢条件を予め設定，登録した図示しないデータベースを備え、コンテンツの要求受信時にこのデータベースを参照し、年齢条件が付いていないかを確認する。そして、例えば、２０才未満閲覧禁止のコンテンツであった場合には２０才未満閲覧禁止フラグを「１」にし、年齢条件が登録されていなければ２０才未満閲覧禁止フラグを初期設定の「０」のままで、年齢条件情報として送信する。
【００３３】
次に、本発明の一実施の形態の動作について図面を参照して説明する。
【００３４】
最初に、生年月日の登録，更新の動作について図１，図２および図４を参照して説明する。図４は、生年月日登録，更新時の動作を示すフローチャートである。
【００３５】
図４を参照すると、まず、ユーザはＳＩＭカード２０を携帯端末１０に装着し、携帯端末１０上で未成年閲覧制御用のアプリケーションを機能キーの押下等により起動する。携帯端末１０の制御部１１は、親権者メニューを表示部１５に表示し、ユーザはその中から生年月日登録／更新を入力部１３により選択する（ステップＡ１）。
【００３６】
制御部１１は、記憶部１４の生年月日情報データベース１４１を参照し、生年月日が既に登録されているかを確認する（ステップＡ２）。生年月日が登録されていなかった場合、制御部１１は新規登録と判断し、今後更新用パスワードとして登録するパスワードの入力要求画面を表示部１５に表示する（ステップＡ３）。ユーザは入力部１３からパスワードを入力する（ステップＡ４）。次に、制御部１１は、携帯端末１０に装着されたＳＩＭカード２０の生年月日情報を読み取り、ステップＡ４で入力されたパスワードと対応付けて生年月日情報データベース１４１に登録する（図２参照）（ステップＡ５）。その後、制御部１１は登録された生年月日とパスワードとを含む登録完了表示を表示部１５に表示する（ステップＡ１１）。
【００３７】
以上説明したステップＡ３〜Ａ５，Ａ１１による生年月日の新規登録は、未成年の子供のための携帯端末１０を購入したときに親権者が行う動作であり、親権者による生年月日，更新用パスワード登録後に携帯端末１０が子供に渡される。
【００３８】
次に、生年月日更新時の動作についてステップＡ６〜Ａ１１により説明する。
【００３９】
ステップＡ２において、生年月日が登録されていた場合、制御部１１は生年月日の更新と判断し、更新用パスワードの入力要求画面を表示部１５に表示する（ステップＡ６）。ユーザは入力部１３からパスワードを入力する（ステップＡ７）。次に、制御部１１は入力されたパスワードと生年月日情報データベース１４１に登録されたパスワードとを照合し、一致するかを確認する（ステップＡ８）。一致しなかった場合、制御部１１は認証できない旨を表示部１５に表示し処理を終了する（ステップＡ９）。一致した場合、制御部１１は、ＳＩＭカード２０の生年月日情報を読み取り、読み取った生年月日情報を生年月日情報データベース１４１に上書き更新する（ステップＡ１１）。その後、制御部１１は更新された生年月日とパスワードとを含む更新完了表示を表示部１５に表示する（ステップＡ１１）。
【００４０】
以上説明したステップＡ６〜Ａ１１による生年月日の更新制御により、親権者が携帯端末１０に登録した生年月日を子供等の第三者から更新されないようにすることができる。
【００４１】
次に、パスワード更新時の動作について図１および図５を参照して説明する。図５は、パスワード更新時の動作を示すフローチャートである。
【００４２】
図５を参照すると、まず、ユーザはＳＩＭカード２０を携帯端末１０に装着し、携帯端末１０上で未成年閲覧制御用のアプリケーションを機能キーの押下等により起動する。携帯端末１０の制御部１１は、親権者メニューを表示部１５に表示し、ユーザはその中からパスワード更新を入力部１３により選択する（ステップＢ１）。制御部１１は新旧両方のパスワード入力画面を表示部１５に表示してパスワードの入力を要求し（ステップＢ２）、ユーザは新旧両方のパスワードを入力する（ステップＢ３）。
【００４３】
制御部１１は、入力された旧パスワードと生年月日情報データベース１４１に登録済みのパスワードとが一致するかを照合する（ステップＢ４）。一致しなかった場合、制御部１１は旧パスワードが違う旨を表示部１５に表示し処理を終了する（ステップＢ５）。一致した場合、制御部１１は今回入力された新パスワードを生年月日情報データベース１４１に上書き更新する（ステップＢ６）。その後、制御部１１は更新されたパスワードを含む更新完了表示を表示部１５に表示する（ステップＢ７）。
【００４４】
以上説明したパスワードの更新制御においては、新旧両方のパスワードの入力を必須としているため、旧パスワード（現在登録されているパスワード）を知っている親権者だけが更新できることになる。従って、パスワードを子供等の第三者が更新し、更新したパスワードを用いて生年月日を変更することを防止することができる。
【００４５】
次に、インターネット１００上で情報を提供するサイトに携帯端末１０がアクセスする場合の動作について図１，図３および図６を参照して説明する。図６は、サイトアクセス時の動作を示すフローチャートである。
【００４６】
図６を参照すると、まず、ユーザはＳＩＭカード２０を携帯端末１０に装着し、携帯端末１０から情報提供サーバ３０が開設した情報提供用Ｗebサイトにアクセスする。情報提供サーバ３０はコンテンツのメニュー画面情報を携帯端末１０に送信し、ユーザは希望するコンテンツを選択し閲覧要求操作を行って情報提供サーバ３０に閲覧要求する（ステップＣ１）。情報提供サーバ３０は、選択されたコンテンツに年齢条件が設定されていないかを確認する。この確認は、例えば、図示しないデータベースを参照し、予め登録されたコンテンツ毎の年齢条件をチェックすることにより行われる（ステップＣ２）。年齢条件が設定されていた場合、例えば、２０才未満閲覧禁止であった場合は、情報提供サーバ３０は、選択されたコンテンツの２０才未満閲覧禁止の年齢条件フラグを初期状態である「０」から「１」に変更し、コンテンツを携帯端末１０に送信する（ステップＣ３→ステップＣ５→ステップＣ６）。年齢条件が設定されていなかった場合は、情報提供サーバ３０は、選択されたコンテンツの年齢条件フラグを初期状態である「０」のままとし、コンテンツの閲覧用画面情報をを携帯端末１０に送信する（ステップＣ３→ステップＣ４→ステップＣ６）。なお、コンテンツの年齢条件フラグは一つ（例えば、未成年閲覧禁止等）に限定されず、例えば、２０才未満閲覧禁止，１８才未満閲覧禁止等の複数の年齢条件に対応した年齢条件フラグを設定するようにしてもよい。この場合、例えばコンテンツが１８才未満閲覧禁止だったときには、１８才未満閲覧禁止の年齢条件フラグのみを「１」にし、２０才未満閲覧禁止の年齢条件フラグは「０」とした年齢条件情報を含んだコンテンツを送信する。また、コンテンツが２０才未満閲覧禁止だったときには２０才未満閲覧禁止の年齢条件フラグのみを「１」にし、１８才未満閲覧禁止の年齢条件フラグは「０」のままでコンテンツを送信する。
【００４７】
携帯端末１０の制御部１１は、情報提供サーバ３０からコンテンツの閲覧用画面情報を受信すると記憶部１４の図示しない記憶領域に一時格納しておき、この時点では表示部１５に表示させない（ステップＣ７）。次に、制御部１１は生年月日情報データベース１４１に生年月日が登録されているかを確認する（ステップＣ８）。生年月日が登録されていなかった場合は、制御部１１は携帯端末１０の使用者が未成年ではないと判断し、受信したコンテンツを表示部１５に表示させる（ステップＣ８→ステップＣ１５）。
【００４８】
生年月日が登録されていた場合は、制御部１１は受信したコンテンツの年齢条件フラグを確認し（ステップＣ８→ステップＣ９）、年齢条件フラグが「１」になっているかを判別する。なお、年齢条件フラグが複数ある場合は、フラグが「１」になっているものがあるかを判別する（ステップＣ１０）。年齢条件フラグが「１」になっていなかった場合は、制御部１１は年齢条件が無いコンテンツであると判断し、受信したコンテンツを表示部１５に表示する（ステップＣ１０→ステップＣ１５）。
【００４９】
年齢条件フラグ（例えば、２０才未満閲覧禁止フラグ）が「１」になっていた場合は、制御部１１は、ＳＩＭカード２０と生年月日情報データベース１４１の両方の生年月日を読み出して一致しているかを照合する（ステップＣ１０→ステップＣ１１）。一致していなかった場合、制御部１１は、エラー画面情報データベース１４３に格納されたエラー画面情報を表示部１５に表示し、携帯端末１０とＳＩＭカード２０の生年月日が異なる旨を通知して処理を終了する。このとき、コンテンツは非表示のままであり、制御部１１はステップＣ７で一時的に格納したコンテンツも削除する（ステップＣ１１→ステップＣ１４）。
【００５０】
ステップＣ１１において、ＳＩＭカード２０と生年月日情報データベース１４１の生年月日が一致していた場合は、制御部１１は生年月日と図示しない時計部から取得した現在日時とから現時点の年齢を算出する（ステップＣ１２）。次に、制御部１１は、算出した年齢とコンテンツの年齢条件フラグから得られる禁止年齢（例えば、２０才未満閲覧禁止フラグであれば、２０才未満）とを比較し、算出年齢がコンテンツの年齢条件を満たしているかを確認する。例えば、算出年齢が１６才でコンテンツの閲覧禁止年齢条件が２０才未満であったとすると、制御部１１は年齢条件を満たしていないと判断する（ステップＣ１３）。
【００５１】
算出年齢がコンテンツの年齢条件を満たしていなかった場合、制御部１１は、エラー画面情報データベース１４３に格納されたエラー画面情報を表示部１５に表示し、年齢条件によりコンテンツの閲覧が不可である旨を通知して処理を終了する。このとき、コンテンツは非表示のままであり、制御部１１はステップＣ７で一時的に格納したコンテンツも削除する（ステップＣ１３→ステップＣ１４）。算出年齢がコンテンツの年齢条件を満たしていた場合、制御部１１は受信したコンテンツを表示部１５に表示する（ステップＣ１５）。
【００５２】
以上、携帯端末１０から情報提供サーバ３０にコンテンツの閲覧要求を行った場合の動作について説明したが、コンテンツのダウンロード要求を行った場合も同様の動作を行う。すなわち、 ユーザが携帯端末１０から情報提供サーバ３０にアクセスし、希望するコンテンツを選択してダウンロード要求を行うと、情報提供サーバ３０はステップＣ２〜ステップＣ５で年齢条件情報を設定し、ステップＣ６でコンテンツファイルを送信する。この後、ステップＣ７〜ステップＣ１３で年齢条件をチェックする。そして、年齢条件を満たしている場合は、携帯端末１０の制御部１１は、受信したコンテンツファイルを年齢条件（例えば、２０才未満閲覧禁止や年齢条件無し等）と対応付けてコンテンツデータベース１４２に格納する（図３参照）。
【００５３】
次に、携帯端末１０に既に格納されているコンテンツを閲覧する場合の動作について図１および図７を参照して説明する。図７は、携帯端末１０に格納されたコンテンツを閲覧する場合の動作を示すフローチャートである。
【００５４】
図７を参照すると、まず、ユーザは携帯端末１０のコンテンツデータベース１４２に既に保存されているコンテンツを選択して閲覧を要求する（ステップＤ１）。制御部１１は、選択されたコンテンツに年齢条件があるかをコンテンツデータベース１４２を参照して確認する（ステップＤ２）。年齢条件が無かった場合は、制御部１１は選択されたコンテンツを表示部１５に表示する（ステップＤ２→ステップＤ５）。年齢条件があった場合は、制御部１１はＳＩＭカード２０と生年月日情報データベース１４１の生年月日が一致するかを確認する（ステップＤ２→ステップＤ３）。一致していなかった場合、制御部１１は、エラー画面情報データベース１４３に格納されたエラー画面情報を表示部１５に表示し、携帯端末１０とＳＩＭカード２０の生年月日が異なる旨を通知して処理を終了する。このとき、コンテンツは非表示のままである（ステップＤ３→ステップＤ４）。ステップＤ３において、ＳＩＭカード２０と生年月日情報データベース１４１の生年月日が一致していた場合は、制御部１１は選択されたコンテンツを表示部１５に表示する（ステップＤ３→ステップＤ５）。以上、携帯端末１０に保存されたコンテンツの閲覧時の動作を説明したが、既に年齢条件のあるコンテンツが保存されている携帯端末１０における処理であるため、年齢条件を満たしているかの確認は省略している。
【００５５】
上述したように、本実施の形態においては、携帯端末１０が情報提供サーバ３０からコンテンツとともに年齢条件情報を受信し、携帯端末１０のユーザが年齢条件を満たしている場合にだけコンテンツの表示またはダウンロードを許可するようにした。これにより、例えば親権者による許可，禁止コンテンツの事前登録等を行わなくても、携帯端末１０がコンテンツ毎に許可，禁止を自動的に判断することができるという効果が得られる。
【００５６】
また、携帯端末１０側でユーザの年齢と情報提供サーバ３０から受信した年齢条件情報を比較してコンテンツの表示またはダウンロードの可否を決定していることにより、年齢という個人情報を外部に送信しなくてもよいため、個人情報の漏洩防止効果が得られる。
【００５７】
また、携帯端末１０がコンテンツの閲覧可否判定を行うときに、ＳＩＭカード２０の生年月日と携帯端末１０に登録された生年月日とが一致することを条件にしている。ＳＩＭカード２０の生年月日等の個人情報はＳＩＭカード２０購入時に携帯端末事業者に登録してもらうものであり、ユーザーによって登録、変更できるものではない。一方、携帯端末１０に登録された生年月日も親権者認証により保護されているため、信頼性の高い閲覧可否判定が可能になる。また、以上の生年月日の二重管理により、未成年者の携帯端末１０に他の成人のＳＩＭカード２０を装着したり、他の成人の携帯端末１０に未成年者のＳＩＭカード２０を装着することによる不正な閲覧を防止することができるという効果がある。
【００５８】
次に、本発明の応用例，変形例等について説明する。
【００５９】
・図６のステップＣ１１において、ＳＩＭカード２０の生年月日と携帯端末１０に登録された生年月日が一致しているかを確認しているが、この動作を省いてもよい。すなわち、ＳＩＭカード２０の生年月日または携帯端末１０に登録された生年月日のいずれか一方から算出した年齢が情報提供サーバ３０から受信した年齢条件を満たしているかを判定するようにしてもよい。
【００６０】
・上記実施の形態においては、携帯端末１０がＷebサイトにアクセス後に選択したコンテンツの年齢条件の閲覧可否を判定すると説明した。これは、Ｗebサイトに複数のコンテンツが用意されており、コンテンツ毎に年齢条件の有るもの，無いものが存在しているという想定に対処するためである。しかし、Ｗebサイトに選択する複数のコンテンツが無い場合もある。この場合は、情報提供サーバ３０がＷebサイトの画面情報を携帯端末１０に送信するときに、Ｗebサイトそのものの年齢条件フラグを含めて送信することで、Ｗebサイト毎の閲覧可否制御においても本発明を適用することは可能である。
【００６１】
・上記実施の形態においては、未成年者による生年月日の無断更新を防止するため更新権の有無をパスワードにより認証しているが、この認証手段はパスワードに限定されない。例えば、指紋検出，登録機能を携帯端末１０に備え、パスワードに代えて指紋による認証を行うようにしてもよいし、静脈等の他の生体情報を用いてもよい。
【図面の簡単な説明】
【００６２】
【図１】本発明の一実施の形態の構成を示す図である。
【図２】生年月日情報データベース１４１に格納されるデータの一例を示す図である。
【図３】コンテンツデータベース１４２に格納されるデータの一例を示す図である。
【図４】生年月日登録，更新時の動作を示すフローチャートである。
【図５】パスワード更新時の動作を示すフローチャートである。
【図６】サイトアクセス時の動作を示すフローチャートである。
【図７】携帯端末１０に格納されたコンテンツを閲覧する場合の動作を示すフローチャートである。
【符号の説明】
【００６３】
１０    携帯端末
１１    制御部
１２    無線通信部
１３    入力部
１４    記憶部
１４１    生年月日情報データベース
１４２    コンテンツデータベース
１４３    エラー画面情報データベース
１５    表示部
１６    カードＩ／Ｆ部
２０    ＳＩＭカード
３０    情報提供サーバ
１００    インターネット
【図１】
2006209433.tif 000003
【図２】
2006209433.tif 000004
【図３】
2006209433.tif 000005
【図４】
2006209433.tif 000006
【図５】
2006209433.tif 000007
【図６】
2006209433.tif 000008
【図７】
2006209433.tif 000009